(57)【要約】【課題】  製造コストを抑制して電気光学装置において高品質な画像表示を行う。【解決手段】  シリアル−パラレル変換された画像信号が供給される画像信号線に一端が夫々接続される複数の分岐配線と、複数の分岐配線を介して供給される画像信号を、サンプリング信号に応じてデータ線に夫々供給する複数のサンプリングスイッチを含むサンプリング回路と、サンプリング信号を順次供給するデータ線駆動回路とを備えており、複数の分岐配線は、各分岐配線群について、一の分岐配線群の次にサンプリング回路によりサンプリングされる画像信号を供給する他の分岐配線群に隣接すると共に一の分岐配線群に属する一の分岐配線の抵抗値が一の分岐配線群に属する他の分岐配線の抵抗値と異なるように且つ該他の分岐配線の抵抗値が相互に同等になるように、形成されている。【選択図】  図５
2006039352.tif 000002
【特許請求の範囲】
【請求項１】
基板上の画像表示領域に配線された複数の走査線及び複数のデータ線と、
前記走査線及び前記データ線に夫々電気的に接続された複数の画素部と、
前記複数のデータ線を、Ｎ本の前記データ線を１群とするデータ線群毎に駆動するためにＮ（但し、Ｎは２以上の自然数）個のシリアル−パラレル変換された画像信号が供給されるＮ本の画像信号線と、
前記複数のデータ線の配列に対応して複数配列されており、前記画像信号線に一端が夫々接続される複数の分岐配線と、
該複数の分岐配線の他端から夫々供給される前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路と
を備えており、
前記複数の分岐配線は、前記データ線群に対応するＮ本の分岐配線を一群とする各分岐配線群について、一の分岐配線群に属し、該一の分岐配線群の次に前記サンプリング回路によりサンプリングされる前記画像信号を供給する他の分岐配線群に隣接する一の分岐配線の抵抗値が、前記一の分岐配線群に属する他の分岐配線の抵抗値と異なるように形成されると共に、
前記複数の分岐配線は、前記各分岐配線群について、前記他の分岐配線の抵抗値が相互に同等になるように形成されていること
を特徴とする電気光学装置。
【請求項２】
前記複数の分岐配線は、前記複数のデータ線のうち、前記一の分岐配線に対応する前記データ線と、前記他の分岐配線に対応する前記データ線との間におけるプッシュダウン量又はプッシュアップ量の差異を低減すべく予め設定された分だけ、前記一の分岐配線の抵抗値が異なるように形成されていることを特徴とする請求項１に記載の電気光学装置。
【請求項３】
前記複数の分岐配線は、前記一の分岐配線及び前記他の分岐配線の一端側に前記画像信号線から前記画素部において中間調の表示を行うための電圧を有する前記画像信号が供給された場合に、前記差異を低減すべく、前記一の分岐配線の抵抗値が異なるように形成されていること
を特徴とする請求項２に記載の電気光学装置。
【請求項４】
前記複数の分岐配線は夫々、低抵抗部分と該低抵抗部分より高抵抗である高抵抗部分とを有し、
前記複数の分岐配線は、前記複数の分岐配線群の各々において、前記一の分岐配線における前記高抵抗部分の配線長が前記他の分岐配線における前記高抵抗部分の配線長と異なるように形成されると供に、前記他の分岐配線は、前記高抵抗部分の配線長が互いに同等となるように形成されていること
を特徴とする請求項１から３のいずれか一項に記載の電気光学装置。
【請求項５】
前記複数の分岐配線は、前記一の分岐配線として前記各分岐配線群の両縁に位置する二本の分岐配線の抵抗値が前記他の分岐配線の抵抗値と異なるように、形成されていることを特徴とする請求項１から４のいずれか一項に記載の電気光学装置。
【請求項６】
前記複数の分岐配線は、前記二本の分岐配線の抵抗値が相互に同等となるように、形成されていることを特徴とする請求項５に記載の電気光学装置。
【請求項７】
請求項１から６のいずれか一項に記載の電気光学装置を具備してなることを特徴とする電子機器。
【請求項８】
基板上の画像表示領域に、複数の走査線及び複数のデータ線と、前記走査線及び前記データ線に夫々電気的に接続された複数の画素部とを備える電気光学装置を駆動するための駆動方法であって、
前記複数のデータ線を、Ｎ本の前記データ線を１群とするデータ線群毎に駆動するためにＮ（但し、Ｎは２以上の自然数）個のシリアル−パラレル変換された画像信号をＮ本の画像信号線に供給する第１工程と、
前記複数のデータ線の配列に対応して複数配列されており、前記画像信号線に一端が夫々接続される複数の分岐配線の他端から夫々供給される前記画像信号を、サンプリング信号に応じて前記データ線に夫々複数のサンプリングスイッチより供給する第２工程と、
前記データ線群に対応する前記サンプリングスイッチ毎に、前記サンプリング信号を順次供給する第３工程と
を備えており、
前記第２工程において、(i)前記データ線群に対応するＮ本の分岐配線を一群とする各分岐配線群について、一の分岐配線群に属し、該一の分岐配線群の次に前記サンプリング回路によりサンプリングされる前記画像信号を供給する他の分岐配線群に隣接する一の分岐配線の抵抗値が、前記一の分岐配線群に属する他の分岐配線の抵抗値と異なるように形成されると共に、(ii)前記各分岐配線群について、前記他の分岐配線の抵抗値が相互に同等になるように形成された、前記複数の分岐配線を介して、前記画像信号が前記複数のサンプリングスイッチに夫々供給されること
を特徴とする電気光学装置の駆動方法。
【発明の詳細な説明】
【技術分野】
【０００１】
本発明は、例えば液晶装置等の電気光学装置、該電気光学装置を駆動する駆動方法、並びにそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。この場合、複数の画像信号線は、基板の周辺領域に配列され、更に画像信号線からサンプリングスイッチまでは分岐配線で接続される。ここで、複数の分岐配線の長さは、夫々が接続された画像信号線からサンプリング回路までの距離の差異に対応して相異なる。そこで、このような分岐配線の配線抵抗の差異による表示ムラの発生を防止する観点から、複数の分岐配線の配線抵抗値は夫々、これを支配する比較的高抵抗の配線部分の長さを互いに同等にすることなどにより、互いに同等の値に設定されている（特許文献１参照）。
【０００３】
しかしながら、このように構成しても、相隣接する二つのブロックの境目では、相隣接するデータ線間の寄生容量に起因したプッシュダウン（即ち、画像信号電位の電圧降下）又はプッシュアップ（即ち、画像信号電位の電圧上昇）によって、輝度ムラの発生が認められる場合がある。その理由として、ブロック内で相隣接するデータ線間の場合と比べてブロックの境目で相隣接するデータ線間の方が、電圧遷移によるプッシュダウンやプッシュアップが大きいことが考察されている。そこで、特許文献２では、液晶装置の駆動回路において、このような相隣接する二つのブロックの境目での輝度ムラの発生を防止するように、プッシュダウンやプッシュアップを相殺或いは補償する電圧補正がなされた画像信号を用いる技術が提案されている。
【０００４】
【特許文献１】特開平１０−２６８３５０号公報
【特許文献２】特開２００１−３４３９２３号公報
【発明の開示】
【発明が解決しようとする課題】
【０００５】
しかしながら、上述したような特許文献２によれば、駆動回路において、補正を行う際、シリアル−パラレル変換した後の画像信号に対して演算処理が行われる。よって、この演算処理を行うための回路が必要となるため、駆動回路を製造する際に、製造コストが増加する、という問題が生じる。
【０００６】
本発明は、上記問題点に鑑み成されたものであり、製造コストを抑制して高品質な画像表示を行うことが可能な電気光学装置及びその駆動方法、並びに該電気光学装置を備えた各種電子機器を提供することを課題とする。
【課題を解決するための手段】
【０００７】
本発明の電気光学装置は上記課題を解決するために、基板上の画像表示領域に配線された複数の走査線及び複数のデータ線と、前記走査線及び前記データ線に夫々電気的に接続された複数の画素部と、前記複数のデータ線を、Ｎ本の前記データ線を１群とするデータ線群毎に駆動するためにＮ（但し、Ｎは２以上の自然数）個のシリアル−パラレル変換された画像信号が供給されるＮ本の画像信号線と、前記複数のデータ線の配列に対応して複数配列されており、前記画像信号線に一端が夫々接続される複数の分岐配線と、該複数の分岐配線の他端から夫々供給される前記画像信号を、サンプリング信号に応じて前記データ線に夫々供給する複数のサンプリングスイッチを含むサンプリング回路と、前記データ線群に対応する前記サンプリングスイッチ毎に、前記サンプリング信号を順次供給するデータ線駆動回路とを備えており、前記複数の分岐配線は、前記データ線群に対応するＮ本の分岐配線を一群とする各分岐配線群について、一の分岐配線群に属し、該一の分岐配線群の次に前記サンプリング回路によりサンプリングされる前記画像信号を供給する他の分岐配線群に隣接する一の分岐配線の抵抗値が、前記一の分岐配線群に属する他の分岐配線の抵抗値と異なるように形成されると共に、前記複数の分岐配線は、前記各分岐配線群について、前記他の分岐配線の抵抗値が相互に同等になるように形成されている。
【０００８】
本発明の電気光学装置によれば、その駆動時には、シリアル−パラレル変換されたＮ個の画像信号が、Ｎ本の画像信号線に供給され、更に、データ線に対応して配列された分岐配線からサンプリング回路へと供給される。例えば、Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【０００９】
このような画像信号の供給と並行して、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一データ線群に属するデータ線は同時に駆動されることとなる。尚、サンプリングスイッチは、例えば、片チャネル型のＴＦＴにより夫々構成され、ソースが分岐配線に接続され、ドレインがデータ線に接続され、ゲートにサンプリング信号が供給されることでオン状態とされる。
【００１０】
このようにデータ線が駆動されると、各画素部では、例えば、走査線駆動回路から走査線を介して供給される走査信号に応じて、スイッチング動作を行う画素スイッチング素子を介して、データ線より画像信号が表示素子に供給される。これより、例えば表示素子である液晶素子は供給された画像信号に基づいて画像表示を行う。
【００１１】
以上のように駆動が行われるので、複数のデータ線群のうち一のデータ線群に画像信号が供給されている状態で、この一のデータ線群に属すると共にこの一のデータ線群の次に駆動される他のデータ線群に隣接する一のデータ線の電位と、他のデータ線群に属するデータ線の電位とは、表示される画像の内容に応じて異なる場合が生じ得る。
【００１２】
より具体的には、画像表示領域に配線された複数のデータ線について、該複数のデータ線のうち相隣接する二本のデータ線間には、寄生容量が存在している。そして、このように寄生容量を有する二本のデータ線に対応するサンプリングスイッチでは夫々、例えばそのドレイン側にあるデータ線の画像信号電位が、これと隣接するデータ線との寄生容量によって変化し、プッシュダウン(即ち、本来の画像信号電位より低い画像信号電位となってしまうこと、或いは次回のサンプリングの際に、本来より低い画像信号電位しかサンプリングできないこと)やプッシュアップ(即ち、本来の画像信号電位より高い画像信号電位となってしまうこと、或いは次回のサンプリングの際に、本来より高い画像信号電位がサンプリングされてしまうこと)が生じ得る。特に、本明細書では、サンプリングスイッチにて本来サンプリングされるべき画像信号電位からの、電圧降下分を「プッシュダウン量」と称し、電圧上昇分を「プッシュアップ量」と称して説明する。
【００１３】
このようなプッシュアップ又はプッシュダウンが生じる場合、仮に何らの対策も施さねば、前述した従来技術にもあるように、画像表示領域に表示された表示画面において、データ線群の境目に輝度ムラが発生する。そして、輝度ムラの程度は、表示される画像の内容或いは相隣接するデータ線間における画像信号の電位差に依存し、また、プリチャージを行う場合には、プリチャージレベルと各画像信号の電位との相対関係にも依存する。
【００１４】
しかるに本発明の電気光学装置によれば、一のデータ線群に対応する一の分岐配線群において、前記一のデータ線に対応する一の分岐配線は、抵抗値が一の分岐配線群に属する他の分岐配線と異なるように形成されると供に、他の分岐配線は、各々の抵抗値が互いに同等になるように形成されている。従って、上述したような寄生容量により前記一のデータ線に係るサンプリングスイッチでプッシュアップ量が同一データ線群に属する他のデータ線に比べて大きい場合には、この一のデータ線に対応する一の分岐配線の抵抗値を大きくすることで、当該サンプリングスイッチにおける過大なプッシュアップ量を小さくできる。或いは、プッシュダウン量が大きい場合には、この一のデータ線に対応する一の分岐配線の抵抗値を小さくすることで、これを当該サンプリングスイッチにおける過大なプッシュダウン量を小さくできる。何れの場合にも、プシュアップ量やプッシュダウン量の差異が低減されるように、予め設定された分だけ、前記一のデータ線に対応する一の分岐配線（即ち、一のデータ線群に対応する一の分岐配線群に属する複数の分岐配線のうち次に駆動される他のデータ線群に対応する他の分岐配線群に隣接する一の分岐配線）の抵抗値を、高く又は低くすれば足りる。
【００１５】
尚、例えば、前記一の分岐配線の配線長又は配線幅や材料を、他の分岐配線と異ならせて形成することで、前記一の分岐配線の抵抗値を、他の分岐配線の抵抗値と異ならせることができる。この際、データ線群の境目においてたとえ輝度ムラが発生しても、この輝度ムラが視認されない程度に、前記一の分岐配線の抵抗値を、同一の分岐配線群に属する他の分岐配線の抵抗値に対して小さくするか又は大きくすればよい。
【００１６】
加えて、同一の分岐配線群に属する他の分岐配線の抵抗値については、同一データ線群に属するデータ線の相互間で輝度ムラが発生しても、この輝度ムラが視認されない程度に、相互に同等に設定すればよい。
【００１７】
以上の結果、相隣接するデータ線間の寄生容量に起因して、表示画面上に視認される程度の輝度ムラの発生を防止することが可能となる。その結果、電気光学装置において、高品質な画像表示を行うことができる。また、画像信号に対する演算処理を行うための回路が不要であるため、電気光学装置を低コストで生産することが可能となる。
【００１８】
本発明の電気光学装置の一態様では、前記複数の分岐配線は、前記複数のデータ線のうち、前記一の分岐配線に対応する前記データ線と、前記他の分岐配線に対応する前記データ線との間におけるプッシュダウン量又はプッシュアップ量の差異を低減すべく予め設定された分だけ、前記一の分岐配線の抵抗値が異なるように形成されている。
【００１９】
この態様によれば、上述したように、一のデータ線群に属する一のデータ線と、一のデータ線に隣接する他のデータ線群に属する他のデータ線との間の寄生容量によって、一のデータ線に係るサンプリングスイッチでプッシュアップ量が大きくなる場合には、予め設定された分だけ、一のデータ線に対応する一の分岐配線の抵抗値を大きくする。これにより、一のデータ線に係るサンプリングスイッチにおける過大なプッシュアップ量を小さくできる。或いは、前述の寄生容量によって、一のデータ線に係るプッシュダウン量が大きくなる場合には、予め設定された分だけ、一のデータ線に対応する一の分岐配線の抵抗値を小さくする。これにより、一のデータ線に係るサンプリングスイッチにおける過大なプッシュダウン量を小さくできる。
【００２０】
この、複数の分岐配線は、前記一の分岐配線の抵抗値が異なるように形成されている態様では、前記複数の分岐配線は、前記一の分岐配線及び前記他の分岐配線の一端側に前記画像信号線から前記画素部において中間調の表示を行うための電圧を有する前記画像信号が供給された場合に、前記差異を低減すべく、前記一の分岐配線の抵抗値が異なるように形成されているように構成してもよい。
【００２１】
このように構成すれば、画像表示領域において、例えば中間調のベタな一画面を表示する場合に、各データ線群において、該データ線群と、該データ線群の次に駆動される他のデータ線群との境目に、表示画面上に視認されるほどの輝度ムラが発生するのを防止することが可能となる。そして、実際に表示すべき画像は、真っ黒又は真っ白である場合は稀であるとともに、輝度ムラは中間調表示の際に視覚上目立つので、このように中間調の表示を行う際に、輝度ムラが目立たないようにする構成は、実践上大変有利である。尚、本発明に係る「中間調の表示」とは、階調について白と黒との間にある表示を意味する。
【００２２】
尚、用途や仕様によっては、黒表示又は白表示を行うための電圧を有する前記画像信号が供給された場合に、前記差異を低減すべく、前記一の分岐配線の抵抗値が異なるように形成されてもよい。
【００２３】
本発明の電気光学装置の他の態様では、前記複数の分岐配線は夫々、低抵抗部分と該低抵抗部分より高抵抗である高抵抗部分とを有し、前記複数の分岐配線は、前記複数の分岐配線群の各々において、前記一の分岐配線における前記高抵抗部分の配線長が前記他の分岐配線における前記高抵抗部分の配線長と異なるように形成されると供に、前記他の分岐配線は、前記高抵抗部分の配線長が互いに同等となるように形成されている。
【００２４】
この態様によれば、各分岐配線群において、この分岐配線群に対応するデータ線群の次に駆動されるデータ線群に対応する他の分岐配線群に隣接する一の分岐配線を構成する高抵抗部分の配線長を、即ち、分岐配線の抵抗値を律則する配線部分の配線長を、この一の分岐配線と同一の分岐配線群に属する他の分岐配線の高抵抗部分の配線長より長くすると供に、これら他の分岐配線は、各々の高抵抗部分の配線長が互いに同等となるように形成される。このように構成することにより、他の分岐配線の抵抗値を互いに同等とすると供に、一の分岐配線の抵抗値を他の分岐配線の抵抗値と比較して大きくすることが可能となる。
【００２５】
他方、一の分岐配線の高抵抗部分の配線長を他の分岐配線の高抵抗部分の配線長より短くする供に、これら他の分岐配線は、各々の高抵抗部分の配線長が互いに同等となるように形成される。このように構成することにより、他の分岐配線の抵抗値を互いに同等とすると供に、一の分岐配線の抵抗値を他の分岐配線の抵抗値と比較して小さくすることが可能となる。
【００２６】
尚、この場合、各分岐配線は、例えばＡｌ（アルミニウム）等の低抵抗部分と、例えば導電性ポリシリコン等の高抵抗部分とから構成される。
【００２７】
本発明の電気光学装置の他の態様では、前記複数の分岐配線は、前記一の分岐配線として前記各分岐配線群の両縁に位置する二本の分岐配線の抵抗値が前記他の分岐配線の抵抗値と異なるように、形成されている。
【００２８】
この態様によれば、複数のデータ線が、データ線駆動回路によってその配列方向に対して双方向に、データ線群毎に順次駆動されることによって、画像表示領域において画像表示を行う場合に、各データ線群において、該データ線群と、該データ線群の次に駆動される他のデータ線群との境目に、表示画面上に視認されるほどの輝度ムラが発生するのを防止することが可能となる。即ち、複数のデータ線がその配列方向に沿って双方向に駆動される場合には、各データ線群において、該データ線群の次に駆動されるデータ線群は、該データ線群を挟んで隣接する二つのデータ線群となる。よって、この態様では、複数の分岐配線は、各データ線群に属するデータ線のうち、該データ線群の両縁に位置するデータ線に対応する分岐配線の抵抗値が、これら二本の分岐配線と同一の分岐配線群に属する他の分岐配線と異なるように、形成される。
【００２９】
この、各分岐配線群の両縁に位置する二本の分岐配線の抵抗値を異ならせる態様では、前記複数の分岐配線は、前記二本の分岐配線の抵抗値が相互に同等となるように、形成されているように構成してもよい。
【００３０】
このように構成すれば、複数のデータ線を、データ線駆動回路によってその配列方向に対して双方向のいずれの方向に駆動する場合にも、各データ線群について、該データ線群に属するデータ線のうち、該データ線群の次に駆動される他のデータ線群に隣接する一のデータ線に係るサンプリングスイッチにおけるプッシュダウン量若しくはプッシュアップ量を同等の値とすることができる。
【００３１】
本発明の電子機器は上記課題を解決するために、上述した本発明の電気光学装置（但し、その各種態様も含む）を具備する。
【００３２】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００３３】
本発明の電気光学装置の駆動方法は上記課題を解決するために、基板上の画像表示領域に、複数の走査線及び複数のデータ線と、前記走査線及び前記データ線に夫々電気的に接続された複数の画素部とを備える電気光学装置を駆動するための駆動方法であって、前記複数のデータ線を、Ｎ本の前記データ線を１群とするデータ線群毎に駆動するためにＮ（但し、Ｎは２以上の自然数）個のシリアル−パラレル変換された画像信号をＮ本の画像信号線に供給する第１工程と、前記複数のデータ線の配列に対応して複数配列されており、前記画像信号線に一端が夫々接続される複数の分岐配線の他端から夫々供給される前記画像信号を、サンプリング信号に応じて前記データ線に夫々複数のサンプリングスイッチより供給する第２工程と、前記データ線群に対応する前記サンプリングスイッチ毎に、前記サンプリング信号を順次供給する第３工程とを備えており、前記第２工程において、(i)前記データ線群に対応するＮ本の分岐配線を一群とする各分岐配線群について、一の分岐配線群に属し、該一の分岐配線群の次に前記サンプリング回路によりサンプリングされる前記画像信号を供給する他の分岐配線群に隣接する一の分岐配線の抵抗値が、前記一の分岐配線群に属する他の分岐配線の抵抗値と異なるように形成されると共に、(ii)前記各分岐配線群について、前記他の分岐配線の抵抗値が相互に同等になるように形成された、前記複数の分岐配線を介して、前記画像信号が前記複数のサンプリングスイッチに夫々供給される。
【００３４】
本発明の電気光学装置の駆動方法によれば、本発明の電気光学装置と同様に、電気光学装置において、高品質な画像表示を行うと共に、画像信号に対する演算処理を行うための回路が不要であるため、電気光学装置を低コストで生産することが可能となる。
【００３５】
本発明のこのような作用及び他の利得は次に説明する実施の形態から明らかにされる。
【発明を実施するための最良の形態】
【００３６】
以下では、本発明の実施の形態について図を参照しつつ説明する。以下の実施形態は、本発明の電気光学装置を液晶装置に適用したものである。
【００３７】
＜１；電気光学パネルの全体構成＞
先ず、本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ'断面図である。ここでは、駆動回路内蔵型のＴＦＴアクティブマトリクス駆動方式の液晶装置を例にとる。
【００３８】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００４２】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４３】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００４４】
なお、図１及び図２には図示しないが、ＴＦＴアレイ基板１０上には、データ線駆動回路１０１や走査線駆動回路１０４等に加えて、後述するように画像信号線上の画像信号をサンプリングしてデータ線に供給するサンプリング回路，並びに複数のデータ線に所定電圧レベルのプリチャージ信号を画像信号に先行して各々供給するプリチャージ回路が形成されている。本実施形態では、サンプリング回路やプリチャージ回路のほか、製造途中や出荷時の当該電気光学装置の品質、欠陥等を検査するための検査回路等を形成してもよい。
【００４５】
＜２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００４６】
図３に示すように、液晶装置は、液晶パネル１００を備えると共に、外部回路として設けられた画像信号供給回路３００、タイミング制御回路４００、プリチャージ信号供給回路５００、及び電源回路７００を備える。
【００４７】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。また、タイミング制御回路４００は、プリチャージ用選択信号ＮＲＧを生成する。
【００４８】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では１２相（Ｎ＝１２）の画像信号ＶＩＤ１〜ＶＩＤ１２を生成する。更に、画像信号供給回路３００において、画像信号ＶＩＤ１〜ＶＩＤ１２の各々の電圧が、所定の基準電位に対して正極性及び負極性に反転され、このように極性反転された画像信号ＶＩＤ１〜ＶＩＤ１２が出力されるようにしてもよい。
【００４９】
また、プリチャージ信号供給回路５００は、プリチャージ信号ＮＲＳの電圧を、画像信号ＶＩＤｋ（但し、ｋ＝１、２、・・・、１２）の電圧の極性に対応させて、基準電位に対して正極性及び負極性に反転して、プリチャージ信号ＮＲＳを供給する。
【００５０】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００５１】
次に、液晶パネル１００における電気的な構成について説明する。
【００５２】
図４に示すように、液晶パネル１００には、そのＴＦＴアレイ基板１０の周辺領域に、走査線駆動回路１０４、データ線駆動回路１０１、サンプリング回路２００、並びにプリチャージ回路２０５を含む内部駆動回路が設けられている。
【００５３】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００５４】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００５５】
サンプリング回路２００は、Ｐチャネル型又はＮチャネル型の片チャネル型ＴＦＴから構成されたサンプリングスイッチ２０２を複数備える。また、プリチャージ回路２０５は、Ｐチャネル型又はＮチャネル型の片チャネル型ＴＦＴ若しくは相補型のＴＦＴから構成されたプリチャージスイッチ２０４を複数備える。図４に示すように、各データ線１１４の一端はサンプリングスイッチ２０２に接続されると共に、各データ線１１４の他端はプリチャージスイッチ２０４に接続されている。
【００５６】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００５７】
１２相にシリアル−パラレル展開された画像信号ＶＩＤ１〜ＶＩＤ１２は、Ｎ本、本実施形態では１２本の画像信号線１７１を介して液晶パネル１００に供給される。そして、ｎ本のデータ線１１４は、以下に説明するように、画像信号線１７１の本数に対応する１２本のデータ線１１４を１群とするデータ線群毎に、順次駆動される。
【００５８】
データ線駆動回路１０１から、データ線群に対応するサンプリングスイッチ２０２毎にサンプリング信号Ｓｉ（ｉ＝１、２、・・・、ｎ）が順次供給され、サンプリング信号Ｓｉに応じて各サンプリングスイッチ２０２はオン状態となる。後述するように、各サンプリングスイッチ２０２は、分岐配線を介して画像信号線１７１に接続されている。
【００５９】
よって、１２本の画像信号線１７１から画像信号ＶＩＤ１〜ＶＩＤ１２が、オン状態となったサンプリングスイッチ２０２を介して、データ線群に属するデータ線１１４に同時に、且つデータ線群毎に順次供給される。よって、データ線群に属するデータ線１１４は互いに同時に駆動されることとなる。従って、本実施形態では、ｎ本のデータ線１１４をデータ線群毎に駆動するため、駆動周波数が抑えられる。
【００６０】
また、プリチャージ回路２０５において、各プリチャージスイッチ２０４には、タイミング制御回路４００によって生成されたプリチャージ選択用信号ＮＲＧが入力されると共に、プリチャージ信号供給回路５００より供給されるプリチャージ信号ＮＲＳが入力される。各プリチャージスイッチ２０４には、各サンプリングスイッチ２０２に対するサンプリング信号Ｓｉの供給に先立って、プリチャージ選択用信号ＮＲＧが同時に供給され、各プリチャージスイッチ２０４は同時にオン状態となる。そして、各プリチャージスイッチ２０４を介して対応するデータ線１１４にプリチャージ信号ＮＲＳが供給される。このように各データ線１１４が、画像信号ＶＩＤｋが供給されるタイミングに先立って所定の電位にプリチャージされることにより、各データ線１１４に対する画像信号ＶＩＤｋの書き込みを比較的短時間で行うことが可能となる。
【００６１】
図４中、一つの画素部７０の構成に着目すれば、ＴＦＴ１１６のソース電極には、画像信号ＶＩＤｋ（但し、ｋ＝１、２、３、・・・、１２）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００６２】
走査線駆動回路１０４から出力される走査信号Ｙ１、・・・、Ｙｍによって、各走査線１１２は線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ１２に応じたコントラストをもつ光が出射する。
【００６３】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６４】
＜３；サンプリング回路の機能的構成＞
次に、データ線１１４の駆動に係る主要な構成について、より詳細に図５から図８を参照して説明する。図５は、データ線１１４の駆動に係る回路構成を示す図であり、図６は、分岐配線の抵抗値Ｒ［Ω］を横軸にとり、縦軸にプッシュダウン量［ｍＶ］をとって、両者の関係を表すグラフを示す図であり、図７は、分岐配線のＴＦＴアレイ基板１０上におけるレイアウトを示す図であり、更に図８は、図７のＡ−Ａ’断面図である。尚、図５は、説明の便宜上、図４に示したデータ線駆動回路及びサンプリング回路を上下逆転させて図示している。
【００６５】
以下では、ｎ本のデータ線１１４が、その配列方向に沿って片方向に、データ線群毎に順次駆動されるものとし、データ線１１４の駆動に係る主要な構成について、データ線駆動回路１０１から第（ｉ−１）番目、第ｉ番目、及び第（ｉ＋１）番目に出力される３つのサンプリング信号Ｓｉ−１、Ｓｉ、Ｓｉ＋１に基づいて駆動される３つのデータ線群のうち、特に第ｉ番目のサンプリング信号Ｓｉに基づいて駆動される第ｉデータ線群の構成に着目して説明する。
【００６６】
図５において、第ｉデータ線群に属するデータ線１１４ｅ（１１４ｅ−１〜１１４ｅ−１２）の配列に対応して、１２本の分岐配線Ｅ１〜Ｅ１２が配列されている。１２本の分岐配線Ｅ１〜Ｅ１２の一端は画像信号線１７１に夫々電気的に接続されると共に、これら１２本の分岐配線Ｅ１〜Ｅ１２の他端は夫々サンプリングスイッチ２０２を介してデータ線１１４ｅ−ｋに電気的に接続される。各サンプリングスイッチを構成するＴＦＴ２０２は、ソースが分岐配線Ｅｋに接続されると共に、ドレインがデータ線１１４ｅ−ｋに電気的に接続される。また、各ＴＦＴ２０２のゲートは、制御配線Ｘ１〜Ｘ１２を介してデータ線駆動回路１０１に電気的に接続されている。尚、制御配線Ｘ１〜Ｘ１２には第ｉ番目のサンプリング信号Ｓｉがデータ線駆動回路１０１から供給される。
【００６７】
ここで、図４に示す複数のデータ線１１４には夫々、隣接する他のデータ線１１４との間に寄生容量が存在している。図５において、第ｉデータ線群に属するデータ線１１４ｅについて、隣接するデータ線１１４ｅ間に、寄生容量Ｃ１２−１１、Ｃ１１−１０、Ｃ１０−９、・・・、Ｃ３−２、Ｃ２−１が存在する。他方、第ｉデータ線群の両縁に位置する二本のデータ線１１４ｅ（１１４ｅ−１及び１１４ｅ−１２）と、この二本のデータ線１１４ｅ−１及び１１４ｅ−１２のうち一方のデータ線１１４ｅ−１２と、この一方のデータ線１１４ｅ−１２に隣接する、第（ｉ−１）番目のサンプリング信号Ｓｉ−１に基づいて駆動される第（ｉ−１）データ線群に属するデータ線１１４ｄとの間、及び二本のデータ線１１４ｅ−１及び１１４ｅ−１２のうち他方のデータ線１１４ｅ−１と、この他方のデータ線１１４ｅ−１に隣接する、第（ｉ＋１）番目のサンプリング信号Ｓｉ＋１に基づいて駆動される第（ｉ＋１）データ線群に属するデータ線１１４ｆとの間には、寄生容量Ｃ１−１２が存在する。
【００６８】
よって、第（ｉ−１）データ線群に属すると共に、第ｉデータ線群に隣接する一のデータ線１１４ｄの電位と、この一のデータ線１１４ｄに隣接し、第ｉデータ線群に属する他のデータ線１１４ｅ−１２の電位とが異なると、データ線１１４ｄに画像信号ＶＩＤｋを書き込む前又は書き込む際に、寄生容量Ｃ１−１２を介してデータ線１１４ｄに対して電位変動が生じる恐れがある。更に、データ線１１４ｄに画像信号を書き込んだ後に、寄生容量Ｃ１−１２を介してデータ線１１４ｄに対して電位変動が生じる恐れがある。このように、データ線１１４ｅ−１２の存在によって、寄生容量Ｃ１−１２を介してデータ線１１４ｄに対して、プッシュアップ又はプッシュダウンが生じ得る。
【００６９】
また、第（ｉ−１）データ線群と同様に、第ｉデータ線群において第（ｉ＋１）データ線群に隣接する一のデータ線１１４ｅ−１と、この一のデータ線１１４ｅ−１に隣接し、第（ｉ＋1）データ線群に属する他のデータ線１１４ｆとについても、データ線１１４ｅ−１に画像信号を書き込む前、書き込む際、或いは書き込んだ後に、データ線１１４ｆの存在によって、寄生容量Ｃ１−１２を介してデータ線１１４ｅ−１に対して電位変動が生じ、この電位変動によりデータ線１１４ｅ−１に対してプッシュアップ又はプッシュダウンが生じる恐れがある。
【００７０】
本実施形態では、図５において、第ｉデータ線群に着目すれば、第ｉデータ線群に属するデータ線１１４ｅに対応する分岐配線Ｅ１〜Ｅ１２を１群とする分岐配線群は、第（ｉ＋１）データ線群に隣接する一のデータ線１１４ｅ−１に対応する分岐配線Ｅ１の抵抗値Ｒ１が、他の分岐配線Ｅ２、Ｅ３、・・・、Ｅ１２の抵抗値Ｒ２、Ｒ３、Ｒ４、・・・、Ｒ１２と異なるように、且つ他の分岐配線Ｅ２、Ｅ３、・・・、Ｅ１２の抵抗値Ｒ２、Ｒ３、Ｒ４、・・・、Ｒ１２が互いに同等となるように形成されている。尚、第（ｉ−１）データ線群に対応する分岐配線群、及び第（ｉ＋１）データ線群に対応する分岐配線群は、第ｉデータ線群に対応する分岐配線群と同様に構成されている。
【００７１】
ここで、上述したような寄生容量Ｃ１−１２を介した電位変動により、データ線１１４ｅ−１に係るプッシュアップ量又はプッシュダウン量は大きくなる。そして、どちらの場合においても、電気光学装置における画像表示時、第ｉデータ線群と第ｉ＋１データ線群の境目におい輝度ムラが発生する共に、画像表示領域１０ａに表示された表示画面において、発生した輝度ムラが視認される恐れがある。本実施形態では、第ｉデータ線群と第ｉ＋１データ線群の境目においてたとえ輝度ムラが発生しても、この輝度ムラが視認されない程度のものとするように、第ｉデータ線群に対応する分岐配線群において、分岐配線Ｅ１の抵抗値Ｒ１を、他の分岐配線Ｅ２、Ｅ３、・・・、Ｅ１２に対して異ならせる。
【００７２】
より具体的には、第（ｉ＋１）データ線群に隣接する一のデータ線１１４ｅ−１に係るプッシュアップ量が、同一のデータ線群に属する他のデータ線１１４ｅ−２〜１１４ｅ−１２と比較して大きくなる場合には、このようなプッシュアップ量の差異が低減されるように、一の分岐配線Ｅ１の抵抗値Ｒ１を、第ｉデータ線群に属する他の分岐配線Ｅ２、Ｅ３、・・・、Ｅ１２の抵抗値Ｒ２、Ｒ３、・・・、Ｒ１２に対して、予め設定された分だけ大きくする。他方、第ｉデータ線群において、一のデータ線１１４ｅ−１に係るプッシュダウン量が、同一のデータ線群に属する他のデータ線１１４ｅ−２〜１１４ｅ−１２と比較して大きくなる場合には、このようなプッシュダウン量の差異が低減されるように、一の分岐配線Ｅ１の抵抗値Ｒ１を、第ｉデータ線群に属する他の分岐配線Ｅ２、Ｅ３、・・・、Ｅ１２の抵抗値Ｒ２、Ｒ３、・・・、Ｒ１２に対して、予め設定された分だけ小さくする。
【００７３】
以下に、一の分岐配線Ｅ１の抵抗値Ｒ１を、予め設定された分だけ大きくする場合の具体的な手段について、図６から図８を参照して説明する。
【００７４】
図６は、第ｉデータ線群に対応する分岐配線群において、各分岐配線Ｅ１、Ｅ２、・・・、Ｅ１２の抵抗値Ｒ［Ω］について、この抵抗値Ｒ［Ω］を変化させた場合の、対応するデータ線１１４ｅに係るプッシュダウン量［ｍＶ］の値を表すグラフを示す図である。尚、図６に示す抵抗値Ｒ［Ω］とプッシュダウン量［ｍＶ］との関係は、本発明の発明者らのシュミレーション結果に基づくものであり、サンプリングスイッチ２０２の特性や、分岐配線Ｅ１、Ｅ２、・・・、Ｅ１２における寄生容量によって変化する。
【００７５】
ここで、例えば、分岐配線Ｅ１、Ｅ２、・・・、Ｅ１２の抵抗値Ｒ１、Ｒ２、Ｒ３、・・・、Ｒ１２を４００［Ω］とした場合、対応するデータ線１１４ｅに係るプッシュダウン量は１２０［ｍＶ］程度である。図６に示す抵抗値Ｒ［Ω］とプッシュダウン量［ｍＶ］との関係より、抵抗値Ｒ［Ω］を増加させると、プッシュダウン量［ｍＶ］も増加する。そこで、前述したように、第ｉデータ線群における他のデータ線１１４ｅ−２〜１１４ｅ−１２と一のデータ線１１４ｅ−１とのプッシュアップ量の差異を低減すべく、一のデータ線１１４ｅ−１に係るプッシュダウン量を５０［ｍＶ］増加させる場合には、同一の分岐配線群に属する他の分岐配線Ｅ２、Ｅ３、・・・、Ｅ１２の抵抗値Ｒ２、Ｒ３、・・・、Ｒ１２は４００［Ω］としたまま、一のデータ線１１４ｅ−１に対応する分岐配線Ｅ１の抵抗値Ｒ１を６００［Ω］に設定すればよい。
【００７６】
このように、分岐配線Ｅ１の抵抗値Ｒ１を、同一の分岐配線群に属する他の分岐配線Ｅ２、Ｅ３、・・・、Ｅ１２より大きくすると共に、他の分岐配線Ｅ２、Ｅ３、・・・、Ｅ１２の抵抗値Ｒ２、Ｒ３、・・・、Ｒ１２を同等の値とするには、例えば、以下に説明するように各分岐配線Ｅ１、Ｅ２、Ｅ３、・・・、Ｅ１２の配線長を調整すればよい。
【００７７】
図７には、ＴＦＴアレイ基板１０上における、第ｉデータ線群に対応する分岐配線Ｅ１、Ｅ２、Ｅ３、・・・、Ｅ１２のレイアウトを示してある。本実施形態では、ＴＦＴアレイ基板１０上において、画像信号線１７１は、例えば、データ線１１４ｅと同一材料の低抵抗のアルミニウム膜によって形成される。また、制御配線Ｘ１、Ｘ２、・・・、Ｘ１２は、画像信号線１７１と交差する方向であってデータ線１１４ｅの延びる方向に配線され、例えばポリシリコン膜によって形成されている。また、各分岐配線Ｅ１、Ｅ２、Ｅ３、・・・、Ｅ１２は、画像信号線１７１に電気的に接続される一端側よりデータ線１１４ｅの延びる方向に、配線されている。そして、各分岐配線Ｅ１、Ｅ２、Ｅ３、・・・、Ｅ１２の一部はサンプリングスイッチ２０２のソース電極を形成し、第ｉデータ線群に属するデータ線１１４ｅの各々の一部はサンプリングスイッチ２０２のドレイン電極を形成し、各制御配線Ｘ１、Ｘ２、・・・、Ｘ１２の一部はサンプリングスイッチ２０２のゲート電極を形成する。
【００７８】
ここで、図５において、第（ｉ＋１）データ線群に隣接する一のデータ線１１４ｅ−１に対応する分岐配線Ｅ１の構成について、図７に示すように、この分岐配線Ｅ１は、一端が画像信号線１７１に電気的に接続される中継用配線Ｈａ１、及び中継配線Ｈａ１の他端に、一端が電気的に接続され、その一部がサンプリングスイッチ２０２のソース電極を形成する補助中継用配線Ｈｂ１を含む。そして、中継用配線Ｈａ１は、本発明に係る「高抵抗部分」の一例であり、例えばポリシリコン膜によって形成されている。また、補助中継用配線Ｈｂ１は、本発明に係る「低抵抗部分」の一例であり、例えばアルミニウム膜によって形成されている。尚、分岐配線Ｅ１と同一の分岐配線群に属する他の分岐配線Ｅ２、Ｅ３、・・・、Ｅ１２は、分岐配線Ｅ１と同様の構成を有している。
【００７９】
本実施形態では、第（ｉ＋１）データ線群に隣接する一のデータ線１１４ｅ−１に対応する分岐配線Ｅ１において、中継用配線Ｈａ１の配線長を、同一の分岐配線群に属する他の分岐配線Ｅ２、Ｅ３、・・・、Ｅ１２における中継用配線Ｈａ２、・・・、Ｈａ１０、Ｈａ１１、Ｈａ１２より大きい値Ｌ１とすることで、分岐配線Ｅ１の抵抗値Ｒ１を、他の分岐配線Ｅ２、Ｅ３、・・・、Ｅ１２の抵抗値Ｒ２、Ｒ３、・・・、Ｒ１２に対して増加させる。また、他の分岐配線Ｅ２、Ｅ３、・・・、Ｅ１２における中継用配線Ｈａ２、・・・、Ｈａ１０、Ｈａ１１、Ｈａ１２は、同等の配線長Ｌ２として形成されている。
【００８０】
図８には、図７に示す分岐配線Ｅ１におけるＡ−Ａ’断面図を示してある。尚、図８には、画像信号線１７１、中継用配線Ｈａ１及び補助中継用配線Ｈｂ１の配置関係とその電気的な接続に係る構成を示してあり、各層・各部材を図面上で認識可能な程度の大きさとするため、該各層・各部材ごとに縮尺を異ならしめてある。
【００８１】
図８において、分岐配線Ｅ１の中継用配線Ｈａ１と、画像信号線１７１及び分岐配線Ｅ１の補助中継用配線Ｈｂ１とは、層間絶縁膜６０によって層間絶縁される。そして、層間絶縁膜６０の表面から、この層間絶縁膜６０を貫通して中継用配線Ｈａ１の表面に至るコンタクトホール６２ａ及び６２ｂが形成されている。中継用配線Ｈａ１は、コンタクトホール６２ａを介して一端が画像信号線１７１に電気的に接続されると共に、コンタクトホール６２ｂを介して他端が補助中継用配線Ｈｂ１の一端に電気的に接続される。ここで、中継用配線Ｈａ１の配線長を値Ｌ１とするためには、この中継用配線Ｈａ１の他端と補助中継用配線Ｈｂ１とを電気的に接続させるためのコンタクトホール６２ｂのＴＦＴアレイ基板１０上における位置を変えればよい。本実施形態では、このコンタクトホール６２ｂの位置を、分岐配線Ｅ１の抵抗値Ｒ１の増加分より割り出して、コンタクトホール６２ｂを形成する。
【００８２】
尚、画像信号線１７１、補助中継用配線Ｈｂ１、及び中継用配線Ｈａ１の配置関係は、図８に示す構成に限定されない。例えば、ＴＦＴアレイ基板１０上において、中継用配線Ｈａ１が、画像信号線１７１及び補助中継用配線Ｈｂ１より上層側に形成されるようにしてもよい。
【００８３】
また、図７において、同一の分岐配線群に属する、一の分岐配線Ｅ１と、他の分岐配線Ｅ２、Ｅ３、・・・、Ｅ１２とは、配線長を上述したように異ならせるほかは、配線幅Ｗ１、Ｗ２、Ｗ３、・・・、Ｗ１２は互いに同等の値として形成されている。
【００８４】
このように、分岐配線Ｅ１の抵抗値Ｒ１を増加させると、対応するサンプリングスイッチ２０２のドレイン電流が低下する。その結果、プッシュアップに起因して生じる、一のデータ線１１４ｅに対応する画素部７０への印加電圧の増加分が相殺されることとなる。
【００８５】
他方、既に説明したように、第ｉデータ線群において、一のデータ線１１４ｅ−１に係るプッシュダウン量が、同一のデータ線群に属する他のデータ線１１４ｅ−２〜１１４ｅ−１２と比較して大きくなる場合には、図６から図８を参照して説明した手段と同様にして、例えば、一のデータ線１１４ｅ−１に対応する分岐配線Ｅ１における中継用配線Ｈａ１の配線長を、同一の分岐配線群に属する他の分岐配線Ｅ２、Ｅ３、・・・、Ｅ１２に対して小さくすると共に、他の分岐配線Ｅ２、Ｅ３、・・・、Ｅ１２における中継用配線Ｈａ２、・・・、Ｈａ１０、Ｈａ１１、Ｈａ１２の配線長を夫々互いに同等の値とする。これにより、一のデータ線１１４ｅ−１に対応する分岐配線Ｅ１の抵抗値Ｒ１を、他の分岐配線Ｅ２、Ｅ３、・・・、Ｅ１２の抵抗値Ｒ２、Ｒ３、・・・、Ｒ１２に対して小さくすることができる。よって、この場合、対応するサンプリングスイッチ２０２のドレイン電流が増加する。その結果、プッシュダウンに起因して生じる、一のデータ線１１４ｅに対応する画素部７０への印加電圧の減少分が相殺される。
【００８６】
よって、以上説明したような本実施形態によれば、隣接するデータ線１１４間の寄生容量に起因して、表示画面上に視認される程度の輝度ムラの発生を防止することが可能となる。その結果、電気光学装置において、高品質な画像表示を行うことができる。また、画像信号ＶＩＤｋに対する演算処理を行うための回路が不要であるため、電気光学装置を低コストで生産することが可能となる。
【００８７】
尚、以上説明した本実施形態では、図７及び図８において、第ｉデータ線群に対応する分岐配線Ｅ１〜Ｅ１２の抵抗値Ｒ１〜Ｒ１２は、これら分岐配線Ｅ１〜Ｅ１２の高抵抗部分の配線長を夫々変えることに加えて若しくは代えて、これら分岐配線Ｅ１〜Ｅ１２の配線幅Ｗ１〜Ｗ１２を変えてもよいし、これら分岐配線Ｅ１〜Ｅ１２の材料を夫々異ならせることによって、調整するようにしてもよい。
【００８８】
＜４；変形例＞
上述した本実施形態の変形例について、以下に説明する。本変形例では、図５に示す第ｉデータ線群に属し、第（ｉ＋１）データ線群に隣接する一のデータ線１１４ｅ−１に対応する分岐配線Ｅ１の抵抗値Ｒ１を次のような値に調整し、同一の分岐配線群に属する他の分岐配線Ｅ２、Ｅ３、・・・、Ｅ１２の抵抗値Ｒ２、Ｒ３、・・・、Ｒ１２に対して異ならせてある。
【００８９】
即ち、一のデータ線１１４ｅ−１に対応する分岐配線Ｅ１の抵抗値Ｒ１は、この分岐配線Ｅ１及び、一のデータ線１１４ｅ−１に隣接する他のデータ線１１４ｆ又は一のデータ線１１４ｅ−１と同一のデータ線群に属する他のデータ線１１４ｅ−２〜１１４ｅ−１２に対応する分岐配線Ｆ１２又はＥ２〜Ｅ１２の一端側に、画素部７０において中間調の画像表示を行うための電圧を有する画像信号ＶＩＤ１及びＶＩＤ１２が画像信号線１７１から供給された場合に、一のデータ線１１４ｅ−１に係るプッシュアップ量又はプッシュダウン量の、他のデータ線１１４ｅ−２〜１１４ｅ−１２との差異を低減するように、他の分岐配線Ｅ２、Ｅ３、・・・、Ｅ１２に対して異ならせてある。このように構成することにより、画像表示領域１０ａにおいて、例えば中間調のベタな一画面を表示する場合にも、各データ線群において、該データ線群と、該データ線群の次に駆動される他のデータ線群との境目に、表示画面上に視認されるほどの輝度ムラが発生するのを防止することが可能となる。
【００９０】
更に、ｎ本のデータ線１１４が、その配列方向に沿って双方向に、データ線群毎に順次駆動される場合には、図５において、第ｉデータ線群の次に駆動されるのは、第（ｉ＋１）データ線群若しくは第（ｉ−１）データ線群となる。よって、この場合、第ｉデータ線群に対応する分岐配線群において、この分岐配線群の両縁に位置する二本の分岐配線Ｅ１及びＥ１２の抵抗値Ｒ１及びＲ１２が、同一の分岐配線群に属する他の分岐配線Ｅ３、Ｅ４、・・・、Ｅ１１の抵抗値Ｒ３、Ｒ４、・・・、Ｒ１１に対して異なるように、当該分岐配線群は形成されているのが好ましい。また、二本の分岐配線Ｅ１及びＥ１２は、好ましくは、これら二本の分岐配線Ｅ１及びＥ１２の抵抗値Ｒ１及びＲ１２が互いに同等の値となるように、形成される。
【００９１】
このように構成すれば、ｎ本のデータ線１１４が、その配列方向に対して双方向のいずれの方向に駆動する場合にも、第ｉデータ線群において、第ｉデータ線群の次に駆動されるデータ線群に隣接する一のデータ線１１４ｅに係るプッシュダウン量若しくはプッシュアップ量を同等の値とすることができる。よって、ｎ本のデータ線１１４が、その配列方向に対して双方向に、データ線群毎に順次駆動される場合に、各データ線群において、該データ線群と、該データ線群の次に駆動される他のデータ線群との境目に、表示画面上に視認されるほどの輝度ムラが発生するのを防止することが可能となる。
【００９２】
＜５；電子機器＞
次に、上述した液晶装置を各種の電子機器に適用する場合について説明する。
【００９３】
＜５−１：プロジェクタ＞
まず、この液晶装置をライトバルブとして用いたプロジェクタについて説明する。図９は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【００９４】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００９５】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【００９６】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９７】
＜５−２：モバイル型コンピュータ＞
次に、液晶装置を、モバイル型のパーソナルコンピュータに適用した例について説明する。図１０は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９８】
＜５−３；携帯電話＞
さらに、液晶装置を、携帯電話に適用した例について説明する。図１１は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９９】
尚、図９から図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１００】
本発明は、上述した実施形態に限られるものではなく、請求の範囲及び明細書全体から読み取れる発明の要旨或いは思想に反しない範囲で適宜変更可能であり、そのような変更を伴う電気光学装置及びその駆動方法、並びに該電気光学装置を備えてなる電子機器もまた本発明の技術的範囲に含まれるものである。
【図面の簡単な説明】
【０１０１】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】データ線の駆動に係る回路構成を示す図である。
【図６】分岐配線の抵抗値Ｒ［Ω］を横軸にとり、縦軸にプッシュダウン量［ｍＶ］をとって、両者の関係を表すグラフを示す図である。
【図７】分岐配線のＴＦＴアレイ基板上におけるレイアウトを示す図である。
【図８】図７のＡ−Ａ’断面図である。
【図９】液晶装置を適用した電子機器の一例たるプロジェクタの構成を示す平面図である。
【図１０】液晶装置を適用した電子機器の一例たるパーソナルコンピュータの構成を示す斜視図である。
【図１１】液晶装置を適用した電子機器の一例たる携帯電話の構成を示す斜視図である。
【符号の説明】
【０１０２】
９ａ…画素電極、１０ａ…画像表示領域、１０…ＴＦＴアレイ基板、７０…画素部、１００…液晶パネル、１０１…データ線駆動回路、１０４…走査線駆動回路、１１２…走査線、１１４…データ線、１７１…画像信号線、２００…サンプリング回路、２０２…サンプリングスイッチ、Ｅ１、Ｅ２、・・・、Ｅ１０、Ｅ１１、Ｅ１２…分岐配線
【図１】
2006039352.tif 000003
【図２】
2006039352.tif 000004
【図３】
2006039352.tif 000005
【図４】
2006039352.tif 000006
【図５】
2006039352.tif 000007
【図６】
2006039352.tif 000008
【図７】
2006039352.tif 000009
【図８】
2006039352.tif 000010
【図９】
2006039352.tif 000011
【図１０】
2006039352.tif 000012
【図１１】
2006039352.tif 000013